(57)【要約】【課題】コンパクトな構成でスミアの発生を防止でき、電池の長寿命化を図ることができる撮像装置を提供する。【解決手段】メカニカルシャッタを無くし、絞りによって露光後の撮像素子を遮光し、絞りによって撮像素子が完全に遮光された後、垂直転送路に読み出した信号電荷の転送を開始する。【選択図】  図５
2006245814.tif 000002
【特許請求の範囲】
【請求項１】
レンズを通過した光を撮像素子で電気信号に変換して出力する撮像装置において、
前記レンズを通過する光の量を調節する絞りと、
前記絞りの動作を制御する絞り制御手段と、
前記撮像素子の動作を制御する撮像素子制御手段と、
を備え、前記絞り制御手段は、前記撮像素子の露光終了後、前記絞りによって前記撮像素子が遮光されるように前記絞りを制御し、前記撮像素子制御手段は、前記撮像素子が前記絞りによって遮光された後、信号電荷の転送が開始されるように前記撮像素子を制御することを特徴とする撮像装置。
【請求項２】
低消費電力モードに設定するモード設定手段と、
前記低消費電力モードに設定されると、前記絞りの駆動電力を規定量低下させる電力制御手段と、
を備えたことを特徴とする請求項１に記載の撮像装置。
【請求項３】
前記撮像素子を遮光するメカニカルシャッタと、
前記メカニカルシャッタの開閉を制御するメカニカルシャッタ制御手段と、
低消費電力モードに設定するモード設定手段と、
を備え、前記絞り制御手段は、前記モード設定手段によって低消費電力モードに設定された場合のみ、前記撮像素子の露光終了後、前記絞りによって前記撮像素子が遮光されるように、前記絞りを制御することを特徴とする請求項１に記載の撮像装置。
【請求項４】
電池残量を検出する電池残量検出手段を有し、前記モード設定手段は、前記電池残量検出手段の検出値が、あらかじめ設定された基準値を下回ると、前記低消費電力モードに自動設定することを特徴とする請求項２又は３に記載の撮像装置。
【請求項５】
被写体輝度を検出する被写体輝度検出手段を有し、前記モード設定手段は、前記被写体輝度検出手段の検出値が、あらかじめ設定された基準値を下回ると、前記低消費電力モードに自動設定することを特徴とする請求項２又は３に記載の撮像装置。
【請求項６】
レンズを通過した光を撮像素子で電気信号に変換して出力する撮像装置において、
前記レンズの先端を覆う開閉自在なレンズカバーと、
前記レンズカバーの開閉を制御するレンズカバー制御手段と、
前記撮像素子の動作を制御する撮像素子制御手段と、
を備え、前記レンズカバー制御手段は、前記撮像素子の露光終了後、前記レンズカバーによって前記撮像素子が遮光されるように前記レンズカバーを制御し、前記撮像素子制御手段は、前記撮像素子が前記レンズカバーによって遮光された後、信号電荷の転送が開始されるように前記撮像素子を制御することを特徴とする撮像装置。
【請求項７】
低消費電力モードに設定するモード設定手段と、
前記低消費電力モードに設定されると、前記レンズカバーの駆動電力を規定量低下させる電力制御手段と、
を備えたことを特徴とする請求項６に記載の撮像装置。
【請求項８】
前記撮像素子を遮光するメカニカルシャッタと、
前記メカニカルシャッタの開閉を制御するメカニカルシャッタ制御手段と、
低消費電力モードに設定するモード設定手段と、
を備え、前記レンズカバー制御手段は、前記モード設定手段によって低消費電力モードに設定された場合のみ、前記撮像素子の露光終了後、前記レンズカバーによって前記撮像素子が遮光されるように、前記レンズカバーを制御することを特徴とする請求項６に記載の撮像装置。
【請求項９】
電池残量を検出する電池残量検出手段を有し、前記モード設定手段は、前記電池残量検出手段の検出値が、あらかじめ設定された基準値を下回ると、前記低消費電力モードに自動設定することを特徴とする請求項７又は８に記載の撮像装置。
【請求項１０】
被写体輝度を検出する被写体輝度検出手段を有し、前記モード設定手段は、前記被写体輝度検出手段の検出値が、あらかじめ設定された基準値を下回ると、前記低消費電力モードに自動設定することを特徴とする請求項７又は８に記載の撮像装置。
【発明の詳細な説明】
【技術分野】
【０００１】
本発明は撮像装置に係り、特にレンズを通した光を撮像素子で受け、電気信号に変換して出力する撮像装置に関する。
【背景技術】
【０００２】
一般にデジタルカメラでは、電子シャッタで撮像素子の電荷蓄積時間を制御して、露出制御が行われる。しかし、電子シャッタのみで撮像素子の電荷蓄積時間を制御すると、電荷の転送期間中に撮像素子に入射する光によって画像にスミアが発生するという問題がある。そこで、撮像素子の前段位置にメカニカルシャッタを設置し、露光終了と同時にこのメカニカルシャッタを閉じることにより、不要な露光を防止してスミアの発生を防止するようにしたデジタルカメラがある（たとえば、特許文献１、２、３）。
【特許文献１】特開平９−８３８７５号公報
【特許文献２】特開平１１−２３４５５２号公報
【特許文献３】特開平１１−２３４５５３号公報
【特許文献４】特開２００４−１５３４７５号公報
【発明の開示】
【発明が解決しようとする課題】
【０００３】
ところで、メカニカルシャッタで撮像素子を遮光する場合、メカニカルシャッタを安定動作させるためには、メカニカルシャッタを高い電圧で駆動する必要があるが、メカニカルシャッタを高い電圧で駆動すると、電流のピークが発生するため、電池を使用したシステムでは、電圧降下が起こって、ＣＰＵが暴走したり、信号処理が正常にできなくなるという欠点がある。また、この電圧降下を考慮してバッテリーエンド（システムがダウンする電圧）を高く設定すると、電池で使用可能な時間が短くなり、撮影可能枚数が少なくなるという欠点がある。
【０００４】
また、通常、メカニカルシャッタはレンズユニット内に組み込まれるが、メカニカルシャッタをレンズユニットに組み込むと、レンズユニットが大型化し、結果として、撮像装置本体も大型化してしまうという欠点がある。
【０００５】
本発明はこのような事情に鑑みて成されたもので、コンパクトな構成でスミアの発生を防止でき、電池の長寿命化を図ることができる撮像装置を提供することを目的とする。
【課題を解決するための手段】
【０００６】
請求項１に係る発明は、前記目的を達成するために、レンズを通過した光を撮像素子で電気信号に変換して出力する撮像装置において、前記レンズを通過する光の量を調節する絞りと、前記絞りの動作を制御する絞り制御手段と、前記撮像素子の動作を制御する撮像素子制御手段と、を備え、前記絞り制御手段は、前記撮像素子の露光終了後、前記絞りによって前記撮像素子が遮光されるように前記絞りを制御し、前記撮像素子制御手段は、前記撮像素子が前記絞りによって遮光された後、信号電荷の転送が開始されるように前記撮像素子を制御することを特徴とする撮像装置を提供する。
【０００７】
請求項１に係る発明によれば、撮像素子の露光終了後、絞りによって撮像素子が遮光される。これにより、別途メカニカルシャッタを設置する必要がなくなり、装置のコンパクト化を図ることができる。また、絞りによって撮像素子が遮光された後、信号電荷の転送が開始されるため、スミアの発生を防止でき、良質な画像を得ることができる。
【０００８】
請求項２に係る発明は、前記目的を達成するために、低消費電力モードに設定するモード設定手段と、前記低消費電力モードに設定されると、前記絞りの駆動電力を規定量低下させる電力制御手段と、を備えたことを特徴とする請求項１に記載の制御装置を提供する。
【０００９】
請求項２に係る発明によれば、低消費電力モードに設定すると、絞りの駆動電力が落とされる。これにより、電力消費を抑えることができ、電池寿命を延ばすことができる。
【００１０】
請求項３に係る発明は、前記目的を達成するために、前記撮像素子を遮光するメカニカルシャッタと、前記メカニカルシャッタの開閉を制御するメカニカルシャッタ制御手段と、低消費電力モードに設定するモード設定手段と、を備え、前記絞り制御手段は、前記モード設定手段によって低消費電力モードに設定された場合のみ、前記撮像素子の露光終了後、前記絞りによって前記撮像素子が遮光されるように、前記絞りを制御することを特徴とする請求項１に記載の撮像装置を提供する。
【００１１】
請求項３に係る発明によれば、通常はメカニカルシャッタで撮像素子が遮光され、低消費電力モードに設定された場合のみ絞りによって撮像素子が遮光される。これにより、撮影状況に応じて撮像装置の動作を切り替えることができる。
【００１２】
請求項４に係る発明は、前記目的を達成するために、電池残量を検出する電池残量検出手段を有し、前記モード設定手段は、前記電池残量検出手段の検出値が、あらかじめ設定された基準値を下回ると、前記低消費電力モードに自動設定することを特徴とする請求項２又は３に記載の撮像装置を提供する。
【００１３】
請求項４に係る発明によれば、電池残量が規定値を下回ると、低消費電力モードに自動設定される。これにより、面倒な切り替え操作を行う必要なく、電池の残量に応じて低消費電力モードに自動切換えすることができる。
【００１４】
請求項５に係る発明は、前記目的を達成するために、被写体輝度を検出する被写体輝度検出手段を有し、前記モード設定手段は、前記被写体輝度検出手段の検出値が、あらかじめ設定された基準値を下回ると、前記低消費電力モードに自動設定することを特徴とする請求項２又は３に記載の撮像装置を提供する。
【００１５】
請求項５に係る発明によれば、被写体輝度が規定値を下回ると、低消費電力モードに自動的に設定される。すなわち、被写体輝度が高くスミアが発生しやすい撮影状況下ではメカニカルシャッタで撮像素子が遮光され、被写体輝度が低くスミアが発生しにくい撮影状況下では絞りで撮像素子が遮光される。これにより、撮影状況に応じて適切にモードを切り替えることができ、スミアのない良質な画像を得られるとともに、電池の長寿命化を図ることができる。
【００１６】
請求項６に係る発明は、前記目的を達成するために、レンズを通過した光を撮像素子で電気信号に変換して出力する撮像装置において、前記レンズの先端を覆う開閉自在なレンズカバーと、前記レンズカバーの開閉を制御するレンズカバー制御手段と、前記撮像素子の動作を制御する撮像素子制御手段と、を備え、前記レンズカバー制御手段は、前記撮像素子の露光終了後、前記レンズカバーによって前記撮像素子が遮光されるように前記レンズカバーを制御し、前記撮像素子制御手段は、前記撮像素子が前記レンズカバーによって遮光された後、信号電荷の転送が開始されるように前記撮像素子を制御することを特徴とする撮像装置を提供する。
【００１７】
請求項６に係る発明によれば、撮像素子の露光終了後、レンズカバーによって撮像素子が遮光される。これにより、別途メカニカルシャッタを設置する必要がなくなり、装置のコンパクト化を図ることができる。また、レンズカバーによって撮像素子が遮光された後、信号電荷の転送が開始されるため、スミアの発生を防止でき、良質な画像を得ることができる。
【００１８】
請求項７に係る発明は、前記目的を達成するために、低消費電力モードに設定するモード設定手段と、前記低消費電力モードに設定されると、前記レンズカバーの駆動電力を規定量低下させる電力制御手段と、を備えたことを特徴とする請求項６に記載の制御装置を提供する。
【００１９】
請求項７に係る発明によれば、低消費電力モードに設定すると、レンズカバーの駆動電力が落とされる。これにより、電力消費を抑えることができ、電池寿命を延ばすことができる。
【００２０】
請求項８に係る発明は、前記目的を達成するために、前記撮像素子を遮光するメカニカルシャッタと、前記メカニカルシャッタの開閉を制御するメカニカルシャッタ制御手段と、低消費電力モードに設定するモード設定手段と、を備え、前記レンズカバー制御手段は、前記モード設定手段によって低消費電力モードに設定された場合のみ、前記撮像素子の露光終了後、前記レンズカバーによって前記撮像素子が遮光されるように、前記レンズカバーを制御することを特徴とする請求項６に記載の撮像装置を提供する。
【００２１】
請求項８に係る発明によれば、通常はメカニカルシャッタで撮像素子が遮光され、低消費電力モードに設定された場合のみレンズカバーによって撮像素子が遮光される。これにより、撮影状況に応じて撮像装置の動作を切り替えることができる。
【００２２】
請求項９に係る発明は、前記目的を達成するために、電池残量を検出する電池残量検出手段を有し、前記モード設定手段は、前記電池残量検出手段の検出値が、あらかじめ設定された基準値を下回ると、前記低消費電力モードに自動設定することを特徴とする請求項７又は８に記載の撮像装置を提供する。
【００２３】
請求項９に係る発明によれば、電池残量が規定値を下回ると、低消費電力モードに自動設定される。これにより、面倒な切り替え操作を行う必要なく、電池の残量に応じて低消費電力モードに自動切換えすることができる。
【００２４】
請求項１０に係る発明は、前記目的を達成するために、被写体輝度を検出する被写体輝度検出手段を有し、前記モード設定手段は、前記被写体輝度検出手段の検出値が、あらかじめ設定された基準値を下回ると、前記低消費電力モードに自動設定することを特徴とする請求項７又は８に記載の撮像装置を提供する。
【００２５】
請求項１０に係る発明によれば、被写体輝度が規定値を下回ると、低消費電力モードに自動的に設定される。すなわち、被写体輝度が高くスミアが発生しやすい撮影状況下ではメカニカルシャッタで撮像素子が遮光され、被写体輝度が低くスミアが発生しにくい撮影状況下ではレンズカバーで撮像素子が遮光される。これにより、撮影状況に応じて適切にモードを切り替えることができ、スミアのない良質な画像を得られるとともに、電池の長寿命化を図ることができる。
【発明の効果】
【００２６】
本発明によれば、コンパクトな構成でスミアの発生を防止でき、また、電力消費を抑えて、電池の長寿命化を図ることができる。
【発明を実施するための最良の形態】
【００２７】
以下、添付図面に従って本発明に係る撮像装置を実施するための最良の形態について詳説する。
【００２８】
＜第１の実施の形態＞
図１、図２は、それぞれ本発明が適用されたデジタルカメラの外観構成を示す正面図と背面図である。
【００２９】
同図に示すように、本実施の形態のデジタルカメラ１０のカメラ本体１２は、薄い矩形の箱型に形成されており、その正面には撮影レンズ１４、ストロボ１６等が設けられている。また、カメラ本体１２の上面にはシャッタボタン１８が設けられており、背面には電源／モードスイッチ２０、ズームボタン２２、十字ボタン２４、MENU/OK ボタン２６、BACKボタン２８、DIP ボタン３０、モニタ３２等が設けられている。
【００３０】
撮影レンズ１４は、いわゆる屈折光学系にて構成されており、カメラ本体１２の正面に形成された開口部１２ａから入射する被写体光を下方に屈折させて、撮像素子の受光面上に結像させる。開口部１２ａには、開閉自在なレンズカバー３６が設けれており、撮影時以外は、このレンズカバー３６によって撮影レンズ１４の先端が覆われる。なお、レンズカバー３６は、図示しないレンズカバーモータに駆動されて支軸３６ａを中心に揺動することにより、開口部１２ａを開閉する。
【００３１】
シャッタボタン１８は、いわゆる「半押し」と「全押し」とからなる２段ストローク式のスイッチで構成されている。デジタルカメラ１０は、このシャッタボタン１８の「半押し」によって、ＡＥ（Automatic Exposure）、ＡＦ（Auto Focus）、ＡＷＢ（Automatic White Balance ）が行われ、「全押し」によって、画像の記録が行われる。
【００３２】
電源／モードスイッチ２０は、デジタルカメラ１０の電源をＯＮ／ＯＦＦする電源スイッチとして機能するとともに、デジタルカメラ１０のモードを設定するモードスイッチとして機能し、「ＯＦＦ位置」、「再生位置」、「撮影位置」の間をスライド自在に設けられている。デジタルカメラ１０は、この電源／モードスイッチ２０を「再生位置」又は「撮影位置」に合わせることにより、電源がＯＮになり、「ＯＦＦ位置」に合わせることにより、電源がＯＦＦになる。そして、この電源／モードスイッチ２０を「撮影位置」に合わせることにより「撮影モード」に設定され、画像の撮影が可能になり、「再生位置」に合わせることにより「再生モード」に設定され、撮影済み画像の再生が可能になる。
【００３３】
ズームボタン２２は、望遠側へのズームを指示するズームテレボタンと、広角側へのズームを指示するズームワイドボタンとで構成されている。
【００３４】
十字ボタン２４は、上下左右の４方向に押圧操作可能なボタンで構成されており、カメラのモードに応じて各方向のキーに機能が割り当てられる。
【００３５】
MENU/OK ボタン２６は、十字ボタン２４の中央に配置されており、各モードの通常画面からメニュー画面への遷移を指示するボタン（ＭＥＮＵボタン）として機能するとともに、選択内容の確定、処理の実行等を指示するボタン（ＯＫボタン）として機能する。また、BASKボタン２８は、入力操作のキャンセル等を指示するボタンとして機能し、DIP ボタン３０は、モニタ３２の表示の切り替えを指示するボタンとして機能する。
【００３６】
モニタ３２は、カラー表示が可能な液晶ディスプレイで構成されている。このモニタ３２は、撮影した画像の表示画面として利用されるとともに、各種設定時にユーザインターフェースとして利用される。また、撮影時にはスルー画像が表示されて、画角確認用の電子ファインダとして利用される。
【００３７】
図３は、図１及び図２に示したデジタルカメラ１０の電気的構成を示すブロック図である。
【００３８】
同図に示すように、デジタルカメラ１０は、ＣＰＵ１１０、操作部（シャッタボタン１８が設けられており、電源／モードスイッチ２０、ズームボタン２２、十字ボタン２４、MENU/OK ボタン２６、BACKボタン２８、DIP ボタン３０等）１１２、ＲＡＭ１１４、ＲＯＭ１１６、ＥＥＰＲＯＭ１１８、ＶＲＡＭ１２０、撮影光学系１２２、レンズカバーモータドライバ１２４、ズームレンズモータドライバ１２６Ｚ、フォーカスレンズモータドライバ１２６Ｆ、絞りモータドライバ１２８、撮像素子１３０、撮像素子駆動回路１３２、アナログ信号処理回路１３６、Ａ／Ｄ変換器１３８、画像入力コントローラ１４０、デジタル信号処理回路１４２、圧縮・伸張処理回路１４４、メディアコントローラ１４６、記憶メディア１４８、ＬＣＤエンコーダ１５０、ＡＦ検出回路１５２、ＡＥ＆ＡＷＢ検出回路１５４、バッテリ１５６、電源制御回路１５８、電池残量検出回路１６０等で構成されている。
【００３９】
ＣＰＵ１１０は、デジタルカメラ１０の全体の動作を制御する制御部として機能するとともに、各種の演算処理を行う演算手段として機能し、操作部１１２からの入力に基づき所定の制御プログラムに従って各回路を制御する。
【００４０】
ＲＯＭ１１６には、ＣＰＵ１１０が実行する制御プログラム及び制御に必要な各種データ等が格納されており、ＥＥＰＲＯＭ１１８には、ユーザ設定情報等のデジタルカメラ１０の動作に関する各種設定情報等が格納されている。また、ＲＡＭ１１４は、ＣＰＵ１１０の作業領域として利用されるとともに、画像データの一時記憶領域として利用され、ＶＲＡＭ１２０は、表示用の画像データの一時記憶領域として利用される。
【００４１】
撮影光学系１２２は、撮影レンズ１４と絞り３８とで構成されている。撮影レンズ１４は、上記のように屈折光学系で構成されており、図示しないズームモータに駆動されて前後移動するズームレンズ１４Ｚと、図示しないフォーカスレンズモータに駆動されて前後移動するフォーカスレンズ１４Ｆとを含む複数のレンズ群で構成されている。ＣＰＵ１１０は、フォーカスレンズモータドライバ１２６Ｆを介してフォーカスモータの駆動を制御することにより、フォーカスレンズ１４Ｆの移動を制御して、フォーカシングを行い、ズームレンズモータドライバ１２６Ｚを介してズームモータの駆動を制御することにより、ズームレンズ１４Ｚの移動を制御して、ズーミングを行う。
【００４２】
絞り３８は、たとえばターレット式絞りで構成されており、径の異なる穴が複数形成された絞り板を図示しない絞りモータで揺動させ、その開口量（絞り値）を変化させる。この絞り３８は、絞り板の位置によって、撮影レンズ１４を通過する光を遮断（撮像素子１３０を遮光）できるようにされている。ＣＰＵ１１０は、絞りモータドライバ１２８を介して絞りモータの駆動を制御することにより、絞り３８の絞り値及び撮像素子１３０の遮光を制御する。
【００４３】
なお、このように絞り３８で撮像素子１３０を遮光することから、本実施の形態のデジタルカメラ１０には、メカニカルシャッタは備えられていない。
【００４４】
また、上記のように撮影レンズ１４の先端は、開閉自在なレンズカバー３６で覆われており、レンズカバー３６は、図示しないレンズカバーモータに駆動されて、撮影レンズ１４の先端を開閉する。撮像素子１３０は、レンズカバーモータドライバ１２４を介してレンズカバーモータの駆動を制御することにより、レンズカバー３６の開閉を制御する。
【００４５】
撮像素子１３０は、図４に示すように、所定のカラーフィルタ配列（たとえばベイヤ配列）のカラーＣＣＤで構成されており、その受光面には多数のフォトダイオード（受光素子）が二次元的に配列されている。撮影光学系１２２を介して撮像素子１３０の受光面に入射した光は、各フォトダイオードによって入射光量に応じた量の信号電荷に変換される。この撮像素子１３０には、各フォトダイオードに蓄積された信号電荷をオーバーフロードレイン（ＯＦＤ）に掃き出すＯＦＤゲートが備えられており、このＯＦＤゲートに印加する電荷掃き出しパルスの印加タイミングをコントロールすることにより、撮像素子１３０は電子シャッタ動作を行うことができるようにされている。
【００４６】
撮像素子駆動回路１３２は、ＣＰＵ１１０の指令に従い撮像素子１３０を駆動するための駆動パルス等を出力する。撮像素子１３０の各フォトダイオードに蓄積された信号電荷は、この撮像素子駆動回路１３２から読み出し転送ゲートに読み出しパルスを印加することにより、垂直転送路に読み出される。垂直転送路に読み出された信号電荷は、撮像素子駆動回路１３２から垂直転送路に駆動パルスを印加することにより、一行ずつ水平転送路に読み出される。そして、水平転送路に読み出された信号電荷は、撮像素子駆動回路１３２から水平転送路に駆動パルスを印加することにより、出力端子から画像信号として点順次に読み出される。
【００４７】
アナログ信号処理回路１３６は、撮像素子１３０から順次出力される画像信号を相関二重サンプリング処理し、増幅して出力する。
【００４８】
Ａ／Ｄ変換器１３８は、アナログ信号処理回路１３６から出力されたアナログの画像信号をそれぞれ１２ビットのデジタルの画像信号に変換して出力する。
【００４９】
画像入力コントローラ１４０は、所定容量のラインバッファを内蔵し、Ａ／Ｄ変換器１３８から出力された１画像分の画像信号を蓄積して、ＲＡＭ１１４に格納する。
【００５０】
デジタル信号処理回路１４２は、同時化回路、ホワイトバランス補正回路、ガンマ補正回路、輪郭補正回路、輝度・色差信号生成回路等を含み、ＣＰＵ１１０からの指令に従って入力されたデジタル画像信号に所要の信号処理を施して、輝度データ（Ｙ）と色差データ（Ｃｒ、Ｃｂ）とからなる画像データ（ＹＵＶデータ）を生成する。
【００５１】
圧縮・伸張処理回路１４４は、ＣＰＵ１１０の指令に従って入力された画像データに圧縮処理を施して、所定フォーマットの圧縮画像データを生成する。また、入力された圧縮画像データに伸張処理を施して、非圧縮の画像データを生成する。
【００５２】
メディアコントローラ１４６は、ＣＰＵ１１０からの指令に従って画像データを記憶メディア１４８に記録し、また、記憶メディア１４８に記録された画像データの読み出しを行う。
【００５３】
ＬＣＤエンコーダ１５０は、ＣＰＵ１１０の指令に従って画像データが示す画像をモニタ３２に表示するための信号を生成して、モニタ３２に出力する。
【００５４】
ＡＦ検出回路１５２は、ＣＰＵ１１０からの指令に従って、撮像素子１３０から得た画像信号からＡＦ制御に必要な物理量を算出する。本実施の形態のデジタルカメラ１０では、画像のコントラストによりＡＦ制御を行うものとし、ＡＦ検出回路１５２は、入力された画像信号から画像の鮮鋭度を示す焦点評価値を算出する。ＣＰＵ１１０は、このＡＦ検出回路１５２で算出される焦点評価値が極大となるように、フォーカスレンズモータドライバ１２６Ｆの駆動を制御し、フォーカスレンズ１４Ｆの移動を制御する。
【００５５】
ＡＥ／ＡＷＢ検出回路１５４は、ＣＰＵ１１０の指令に従って、撮像素子１３０から得た画像信号からＡＥ制御及びＡＷＢ制御に必要な物理量を算出する。たとえば、ＡＥ制御に必要な物理量として、１画面を複数のエリア（たとえば、１６×１６）に分割し、分割した各エリアごとにＲ、Ｇ、Ｂの画像信号の積算値を算出する。ＣＰＵ１１０は、このＡＥ／ＡＷＢ検出回路１５４から得た積算値に基づいて被写体の明るさ（被写体輝度）を検出し、所定のプログラム線図に従って絞り値とシャッタスピード（電荷蓄積時間）を決定する。
【００５６】
また、ＡＷＢ制御に必要な物理量として、１画面を複数のエリア（例えば、１６×１６）に分割し、分割した各エリアごとにＲ、Ｇ、Ｂの画像信号の色別の平均積算値を算出する。ＣＰＵ１１０は、得られたＲの積算値、Ｂの積算値、Ｇの積算値から各分割エリアごとにＲ／Ｇ及びＢ／Ｇの比を求め、求めたＲ／Ｇ、Ｂ／Ｇの値のＲ／Ｇ、Ｂ／Ｇの色空間における分布等に基づいて光源種判別を行う。そして、判別された光源種に適したホワイトバランス調整値に従って、たとえば各比の値がおよそ１（つまり、１画面においてＲＧＢの積算比率がＲ：Ｇ：Ｂ≒１：１：１）になるように、ホワイトバランス調整回路のＲ、Ｇ、Ｂ信号に対するゲイン値（ホワイトバランス補正値）を決定する。
【００５７】
電源制御回路１５８は、ＣＰＵ１１０の指令に従って電池１５６から各部に供給する電圧を制御する。
【００５８】
電池残量検出回路１６０は、電池１５６の残量を検出し、その検出結果をＣＰＵ１１０に出力する。
【００５９】
次に、前記のごとく構成された本実施の形態のデジタルカメラ１０の作用について説明する。
【００６０】
上記のように、本実施の形態のデジタルカメラ１０には、メカニカルシャッタが備えられておらず、代わりに絞り３８によって撮像素子１３０が遮光できるようにされている。撮影時には、この絞り３８で露光後の撮像素子１３０を遮光して、スミアの発生を防止する。また、このスミアの発生を効果的に防止するために、本実施の形態のデジタルカメラ１０では、絞り３８によって撮像素子１３０が完全に遮光された後、信号電荷の転送を開始する。以下、本実施の形態のデジタルカメラ１０の撮影動作について詳説する。
【００６１】
上記のように、本実施の形態のデジタルカメラ１０は、カメラのモードを撮影モードに設定することにより、画像の撮影が可能になる。この撮影モードの状態でシャッタボタン１８を半押しすると、操作部１１２からＣＰＵ１１０にＳ１ＯＮ信号が入力される。ＣＰＵ１１０は、このＳ１ＯＮ信号に応動してＡＥ、ＡＦ、ＡＷＢの処理を実行する。
【００６２】
まず、Ｓ１ＯＮ信号に応動して撮像素子１３０から出力された画像信号が、アナログ信号処理回路１３６、Ａ／Ｄ変換器１３８、画像入力コントローラ１４０を介してＲＡＭ１１４に取り込まれる。ＲＡＭ１１４に取り込まれた画像信号は、ＡＦ検出回路１５２並びにＡＥ／ＡＷＢ検出回路１５４に加えられる。
【００６３】
ＡＦ検出回路１５２は、入力された画像信号からＡＦ制御に必要な物理量を算出し、ＣＰＵ１１０に出力する。ＣＰＵ１１０は、このＡＦ検出回路１５２からの出力に基づきフォーカスモータの駆動を制御し、ＡＦ制御を実行する。
【００６４】
また、ＡＥ／ＡＷＢ検出回路１５４は、入力された画像信号からＡＥ制御及びＡＷＢ制御に必要な物理量を算出し、ＣＰＵ１１０に出力する。ＣＰＵ１１０は、このＡＥ／ＡＷＢ検出回路１５４からの出力に基づき、絞り値、シャッタスピード（電荷蓄積時間）、ホワイトバランス補正値を決定する。
【００６５】
この後、シャッタボタン１８が全押しされると、操作部１１２からＣＰＵ１１０にＳ２ＯＮ信号が入力される。ＣＰＵ１１０は、このＳ２ＯＮ信号に応動して画像データの記録処理を実行する。
【００６６】
まず、絞り３８が上記ＡＥ処理で求めた絞り値となるように絞りモータを駆動する。そして、上記ＡＥ処理で求めたシャッタスピード（電荷蓄積時間）で撮像素子１３０が露光されるように、撮像素子駆動回路１３２を介して撮像素子１３０の電子シャッタを作動させる。
【００６７】
この際、電子シャッタの閉動作、すなわち、垂直転送路への信号電荷の読み出しと同時に絞りモータが駆動され、絞り３８で撮影レンズ１４を通過する光が遮断され、撮像素子１３０が遮光される。そして、この絞り３８によって撮像素子１３０が完全に遮光されたのち、撮像素子１３０が駆動され、垂直転送路に読み出された信号電荷の転送が開始される。
【００６８】
図５は、絞りの駆動と撮像素子の駆動のタイミングを示すタイミングチャートである。同図に示すように、露光開始前、撮像素子１３０には電荷掃き出しパルスが印加されており、各フォトダイオードに蓄積された信号電荷がＯＦＤに掃き出される。露光開始と同時に、この電荷掃き出しパルスの印加が停止され、入射光量に応じた量の信号電荷が各フォトダイオードに蓄積される。各フォトダイオードに蓄積された信号電荷は、読み出し転送ゲートに読み出しパルスが印加されることにより、垂直転送路に読み出される。
【００６９】
この読み出しパルスの印加と同時にＣＰＵ１１０から絞りモータドライバ１２８に絞り３２を閉動作させるための駆動信号が出力され、絞り３８が撮像素子１３０を遮光するように閉動作する。
【００７０】
そして、この絞り３８によって撮像素子１３０が完全に遮光されたのち、垂直転送路に読み出された信号電荷を転送するための駆動パルスが撮像素子１３０に印加され、信号電荷の転送が開始される。
【００７１】
このように、絞り３８によって撮像素子１３０が完全に遮光されたのち、信号電荷の転送が開始されることにより、スミアの発生を効果的に防止することが可能になる。
【００７２】
撮像素子１３０から出力された画像信号は、アナログ信号処理回路１３６、Ａ／Ｄ変換器１３８、画像入力コントローラ１４０を介してＲＡＭ１１４に取り込まれ、デジタル信号処理回路１４２に加えられる。そして、デジタル信号処理回路１４２で所要の信号処理が施されて、画像データに変換される。
【００７３】
デジタル信号処理回路１４２で生成された画像データは、一旦、ＲＡＭ１１４に格納された後、圧縮・伸張処理回路１４４に加えれる。そして、圧縮・伸張処理回路１４４で所定の圧縮フォーマット（たとえばＪＰＥＧ）に従って圧縮されたのち、メディアコントローラ１４６を介して記憶メディア１４８に記録される。
【００７４】
なお、記憶メディア１４８に記録された圧縮画像データは、カメラのモードを再生モードに設定することにより、記憶メディア１４８から読み出され、圧縮・伸張処理回路１４４で伸張された後、ＬＣＤエンコーダ１５０を介してモニタ３２に出力される。これにより、画像をモニタ３２で確認することができる。
【００７５】
以上説明したように、本実施の形態のデジタルカメラ１０によれば、絞り３８によって撮像素子１３０を完全に遮光した後、信号電荷の転送を行うようにしているので、スミアの発生を効果的に抑止でき、良好な撮影画像を得ることができる。
【００７６】
また、メカニカルシャッタを無くすことにより、撮影光学系１２２のコンパクト化が可能になり、結果、カメラ本体のコンパクト化も可能になる。
【００７７】
また、消費電力の高いメカニカルシャッタを無くすことにより、電池寿命を延ばすことができ、撮影可能枚数を増やすことができる。
【００７８】
なお、電池１５６を効率よく使って、撮影可能枚数を増やすために、電池１５６の残量が、あらかじめ設定された閾値を下回ると、絞り３８の駆動電圧を所定量低下させるようにすることが好ましい。すなわち、ＣＰＵ１１０は、電池残量検出回路１６０で検出される電池１５６の残量が、あらかじめ設定された閾値を下回ると、電源制御回路１５８にコマンドを出力し、絞り３８の駆動電圧を所定量低下させる。これにより、電池１５６を効率よく使用でき、撮影可能枚数を更に増やすことができるようになる。
【００７９】
この他、ユーザの設定で絞り３８の駆動電圧を所定量低下させるようにしてもよい。すなわち、たとえば、撮影メニューとして、「低消費電力モード」という撮影モードを用意しておき、この「低消費電力モード」をユーザが選択すると、自動的に絞り３８の駆動電圧が通常動作時よりも所定量低下するようにする。これにより、撮影状況に応じた絞り動作制御が可能になり、更に効率よく電池１５６を使用できるようになる。すなわち、被写体の輝度が低い場合には、スミアはほとんど発生しないので、このような撮影状況では、積極的に絞り３８の駆動電圧を低下させて、消費電力を抑えるようにする。これにより、効率よく電池１５６を使用でき、電池寿命を延ばすことができる。
【００８０】
なお、低消費電力モードの設定は、撮影メニューから設定する他、専用のスイッチ等を設けて設定するようにしてもよい。
【００８１】
また、このように駆動電圧を低下させることにより、絞り３８が完全に閉じるまでの時間が増加することとなるが、この場合も撮像素子１３０は、絞り３８が完全に閉じるのを待って、垂直転送路に読み出した信号電荷の読み出しを開始するようにする。
【００８２】
また、絞り３８の構成は、本実施の形態のものに限定されるものではない。撮影レンズ１４を通過する光を遮断して、撮像素子１３０を遮光できる構成のものであれば、他の形式の絞りを用いてもよい。
【００８３】
また、本実施の形態では、絞り３８によって露光後の撮像素子１３０を遮光するようにしているが、レンズカバー３６によって露光後の撮像素子１３０を遮光するようにしてもよい。この場合も絞りの時と同様にレンズカバー３６によって撮像素子１３０が完全に遮光された後、垂直転送路に読み出した信号電荷の転送を開始するものとする。これにより、スミアの発生を効果的に抑止でき、良好な画質の画像を得ることができる。
【００８４】
また、この場合も絞りで撮像素子１３０を遮光する場合と同様に電池１５６の残量が、あらかじめ設定された閾値を下回ると、レンズカバー３６の駆動電圧を所定量低下させるようにすることが好ましい。これにより、電池１５６を効率よく使って、撮影可能枚数を増やすことができるようになる。なお、上記同様、ユーザが手動で低消費電力モードに設定できるようにしてもよい。
【００８５】
なお、レンズカバー３６によって撮像素子１３０を遮光する場合、絞り３８による撮像素子１３０の遮光機能は不要であり、また、絞り３８によって撮像素子１３０を遮光する場合には、レンズカバー３６は必ずしも設けなくてもよい。
【００８６】
また、レンズカバー３６と絞り３８の双方で撮像素子１３０を遮光できる場合には、より電力消費の少ない部材で撮像素子１３０を遮光するように設定することが好ましい。すなわち、レンズカバー３６の方が絞り３８よりも電力消費が少ない場合には、レンズカバー１３０で撮像素子１３０を遮光し、絞り３８の方がレンズカバー３６よりも消費電力が少ない場合は、絞り３８で撮像素子１３０を遮光するように設定する。
【００８７】
また、絞り３８とレンズカバー３６の構成は一例であり、他の構成の絞り又はレンズカバーを用いてもよい。
【００８８】
＜第２の実施の形態＞
図６は、第２の実施の形態のデジタルカメラ２００の電気的構成を示すブロック図である。
【００８９】
同図に示すように、撮影光学系２０２にメカニカルシャッタ２０４が組み込まれている点以外は、上述した第１の実施の形態のデジタルカメラ１０の構成と同じである。したがって、第１の実施の形態のデジタルカメラ１０と同じ構成部材には、同一符号を付して、その説明は省略する。
【００９０】
撮影光学系２０２に組み込まれたメカニカルシャッタ２０４は、図示しないメカニカルシャッタモータに駆動されて開閉する。そして、このメカニカルシャッタ２０４が開くことにより、撮像素子１３０が露光され、閉じることにより、撮像素子１３０が遮光される。ＣＰＵ１１０は、メカニカルシャッタモータドライバ２０６を介してメカニカルシャッタモータの駆動を制御することにより、メカニカルシャッタ２０４の開閉を制御する。
【００９１】
なお、本実施の形態のデジタルカメラ２００においても絞り３８又はレンズカバー３６によって撮像素子１３０を遮光できるようにされている。
【００９２】
さて、上記のようにメカニカルシャッタ２０４を備えた本実施の形態のデジタルカメラ１０では、電池残量に応じて露光後に撮像素子１３０を遮蔽する部材が切り替えられる。すなわち、通常撮影時には、メカニカルシャッタ２０４にて撮像素子１３０が遮光され、電池１５６の残量が、あらかじめ設定された閾値を下回ると絞り３８又はレンズカバー３６によって撮像素子１３０が遮光される。
【００９３】
図７は、第２の実施の形態のデジタルカメラの撮影時における処理動作の手順を示すフローチャートである。なお、本例はメカニカルシャッタ２０４又は絞り３８によって撮像素子１３０を遮光する場合の手順を示している。
【００９４】
撮影モードに設定されると（ステップＳ１０）、ＣＰＵ１１０は操作部１１２からの出力に基づいてシャッタボタン１８が半押しされたか否か判定する（ステップＳ１１）。
【００９５】
シャッタボタン１８が半押しされたと判定すると、ＡＦ、ＡＥ、ＡＷＢの制御と同時に電池残量検出回路１６０にて電池１５６の残量を検出する（ステップＳ１２）。そして、その検出結果に基づいて電池残量が、あらかじめ設定された閾値を下回るか否か（閾値未満か否か）を判定する（ステップＳ１３）。
【００９６】
ここで、検出された電池残量が閾値を上回る（閾値以上）と判定すると、ＣＰＵ１１０は、露光後に撮像素子１３０を遮光する部材をメカニカルシャッタ２０４に設定する（ステップＳ１４）。
【００９７】
一方、検出された電池残量が閾値を下回る（閾値未満）と判定すると、ＣＰＵ１１０は、露光後に撮像素子１３０を遮光する部材を絞り３８に設定する（ステップＳ１５）。
【００９８】
この後、ＣＰＵ１１０は、操作部１１２からの出力に基づいてシャッタボタン１８が全押しされたか否か判定する（ステップＳ１６）。そして、シャッタボタン１８が全押しされたと判定すると、撮影処理を実行する（ステップＳ１７）。
【００９９】
図８は、撮影処理時における動作の手順を示すフローチャートである。ＡＥ制御によって求めた絞り値、シャッタスピードで撮像素子１３０を露光させる（ステップＳ２０）。そして、設定されたシャッタスピードで撮像素子１３０が露光されたか否か判定して、露光終了の要否を判定する（ステップＳ２１）。
【０１００】
露光終了と判定すると、ＣＰＵ１１０は撮像素子駆動回路１３２を介して撮像素子１３０の読み出し転送ゲートに読み出しパルスを印加し、各フォトダイオードに蓄積された信号電荷を垂直転送路に読み出す（ステップＳ２２）。この信号電荷の読み出しと同時に撮像素子１３０を遮光する（ステップＳ２３）。
【０１０１】
ここで、撮像素子１３０の遮光部材にメカニカルシャッタ２０４が設定されている場合には、メカニカルシャッタ２０４によって撮像素子１３０が遮光され、絞り３８が設定されている場合には、絞り３８によって撮像素子１３０が遮光される。
【０１０２】
この後、ＣＰＵ１１０は、メカニカルシャッタ２０４又は絞り３８によって撮像素子１３０が完全に遮光された否か判定し（ステップＳ２４）、完全に遮光されたと判定したところで、垂直転送路に読み出した信号電荷の転送を開始する（ステップＳ２５）。すなわち、撮像素子駆動回路１３２を介して撮像素子１３０に駆動パルスを印加し、信号電荷の転送を開始する。
【０１０３】
このようにして撮像素子１３０から出力された画像信号は、所要の信号処理が施されてデジタルの画像データとされた後（ステップＳ２６）、メディアコントローラ１４６を介して記憶メディア１４８に記録される（ステップＳ２７）。
【０１０４】
この後、ＣＰＵ１１０は、操作部１１２からの入力に基づいてカメラの電源がＯＦＦされたか否か判定し（ステップＳ１８）、電源がＯＦＦされたと判定すると、処理を終了する。一方、カメラの電源がＯＦＦされていないと判定した場合は、ステップＳ１０に戻り、上記処理を繰り返し実行する。
【０１０５】
このように、本実施の形態のデジタルカメラ２００によれば、電池残量が低下すると、電力消費の少ない絞り３８によって撮像素子１３０が遮光されるように自動設定されるため、電池１５６を効率よく利用でき、撮影可能枚数を増やすことができる。
【０１０６】
また、撮像素子１３０を完全に遮光した後、信号電荷の転送を行うようにしているので、スミアの発生を効果的に抑止でき、良好な撮影画像を得ることができる。
【０１０７】
なお、電池１５６を更に効率よく使うために、電池残量の第２の閾値を設定し、この第２の閾値を電池残量が下回ると、絞り３８の駆動電圧を所定量低下させるようにしてもよい。これにより、更に効率よく電池１５６を使用でき、撮影可能枚数を更に増やすことができるようになる。
【０１０８】
また、電池残量によって撮像素子１３０の遮光部材を切り替えるのではなく、ユーザの設定で遮光部材を切り替えるようにしてもよい。たとえば、撮影メニューとして、「低消費電力モード」という撮影モードを用意しておき、この「低消費電力モード」をユーザが選択すると、自動的に絞り３８によって露光後の撮像素子１３０が遮光されるようにしてもよい。
【０１０９】
また、「第２の低消費電力モード」という撮影モードを用意しておき、この「第２の低消費電力モード」をユーザが選択すると、絞り３８の駆動電圧が通常動作時よりも所定量低下するようにしてよい。
【０１１０】
なお、低消費電力モードの設定は、撮影メニューから設定する他、専用のスイッチ等を設けて設定するようにしてもよい。
【０１１１】
また、このように駆動電圧を低下させることにより、絞り３８が完全に閉じるまでの時間が増加することとなるが、この場合も撮像素子１３０は、絞り３８が完全に閉じるのを待って、垂直転送路に読み出した信号電荷の読み出しを開始するようにする。
【０１１２】
なお、本例では電池残量が少なくなると絞り３８によって露光後の撮像素子１３０を遮光するようにしているが、絞りに代えてレンズカバーによって露光後の撮像素子１３０を遮光するようにしてもよい。
【０１１３】
この場合も絞り３８で遮光する場合と同様に電池１５６の残量があらかじめ設定された第２の閾値を下回ると、レンズカバー３６の駆動電圧を所定量低下させるようにしてもよい。また、ユーザが手動で低消費電力モードに設定できるようにしてもよい。
【０１１４】
なお、レンズカバー３６によって撮像素子１３０を遮光する場合、絞り３８による撮像素子１３０の遮光機能は不要であり、また、絞り３８によって撮像素子１３０を遮光する場合には、レンズカバー３６は必ずしも設けなくてもよい。
【０１１５】
また、レンズカバー３６と絞り３８の双方で撮像素子１３０を遮光できる場合には、より電力消費の少ない部材で撮像素子１３０を遮光するように設定することが好ましい。すなわち、レンズカバー３６の方が絞り３８よりも電力消費が少ない場合には、レンズカバー１３０で撮像素子１３０を遮光し、絞り３８の方がレンズカバー３６よりも消費電力が少ない場合は、絞り３８で撮像素子１３０を遮光するように設定する。
【０１１６】
＜第３の実施の形態＞
上述した第２の実施の形態のデジタルカメラでは、電池残量に応じて撮像素子の遮光する部材を切り替えているが、本実施の形態のデジタルカメラでは、被写体の輝度に応じて撮像素子を遮光する部材を切り替える。すなわち、被写体の輝度が低い場合には、スミアが発生しにくいので、絞り又はレンズカバーで撮像素子を遮光し、被写体の輝度が高く、スミアが発生しやすい場合には、メカニカルシャッタで撮像素子を遮光する。
【０１１７】
なお、カメラの構成自体は、上述した第２の実施の形態のデジタルカメラ２００と同じなので、ここでは撮影時の処理動作の点についてのみ説明する。
【０１１８】
図９は、第３の実施の形態のデジタルカメラの撮影時における処理動作の手順を示すフローチャートである。
【０１１９】
撮影モードに設定されると（ステップＳ３０）、ＣＰＵ１１０は操作部１１２からの出力に基づいてシャッタボタン１８が半押しされたか否か判定する（ステップＳ３１）。
【０１２０】
シャッタボタン１８が半押しされたと判定すると、ＡＦ、ＡＥ、ＡＷＢの制御を実施する（ステップＳ３２）。そして、ＡＥ制御の過程で取得される被写体の明るさ（被写体輝度）が、あらかじめ設定された閾値を未満か否か判定する（ステップＳ３３）。
【０１２１】
ここで、被写体輝度が閾値以上と判定すると、ＣＰＵ１１０は、露光後に撮像素子１３０を遮光する部材をメカニカルシャッタ２０４に設定する（ステップＳ３４）。
【０１２２】
一方、被写体輝度が閾値を未満と判定すると、ＣＰＵ１１０は、露光後に撮像素子１３０を遮光する部材を絞り３８に設定する（ステップＳ３５）。
【０１２３】
この後、ＣＰＵ１１０は、操作部１１２からの出力に基づいてシャッタボタン１８が全押しされたか否か判定する（ステップＳ３６）。そして、シャッタボタン１８が全押しされたと判定すると、撮影処理を実行する（ステップＳ３７）。撮影処理は、上記第２の実施の形態の時と同じである。すなわち、露光後に設定された遮光部材で撮像素子１３０を露光し、その遮光部材で撮像素子１３０が完全に遮光されたのち、フォトダイオードから垂直転送路に読み出した信号電荷の転送を開始する。そして、撮像素子１３０から出力された画像信号に対して所要の信号処理を施し、記憶メディア１４８に記録する。
【０１２４】
この後、ＣＰＵ１１０は、操作部１１２からの入力に基づいてカメラの電源がＯＦＦされたか否か判定し（ステップＳ３８）、電源がＯＦＦされたと判定すると、処理を終了する。一方、カメラの電源がＯＦＦされていないと判定した場合は、ステップＳ１０に戻り、上記処理を繰り返し実行する。
【０１２５】
このように、被写体輝度が低い状況では絞りを使用し、被写体輝度が高い状況ではメカニカルシャッタを使用することにより、画質に影響を与えることなく、電池を効率よく使用でき、撮影可能枚数を増やすことができる。
【０１２６】
なお、本例では被写体輝度が低い場合、絞りによって露光後の撮像素子１３０を遮光するようにしているが、絞りに代えてレンズカバーによって露光後の撮像素子１３０を遮光するようにしてもよい。
【０１２７】
なお、レンズカバー３６によって撮像素子１３０を遮光する場合、絞り３８による撮像素子１３０の遮光機能は不要であり、また、絞り３８によって撮像素子１３０を遮光する場合には、レンズカバー３６は必ずしも設けなくてもよい。
【０１２８】
また、レンズカバー３６と絞り３８の双方で撮像素子１３０を遮光できる場合には、より電力消費の少ない部材で撮像素子１３０を遮光するように設定することが好ましい。すなわち、レンズカバー３６の方が絞り３８よりも電力消費が少ない場合には、レンズカバー１３０で撮像素子１３０を遮光し、絞り３８の方がレンズカバー３６よりも消費電力が少ない場合は、絞り３８で撮像素子１３０を遮光するように設定する。
【０１２９】
なお、上記一連の実施の形態では、本発明をデジタルカメラに適用した場合を例に説明したが、カメラ付き携帯電話機等の撮影機能を備えた機器にも本発明は適用することができる。
【図面の簡単な説明】
【０１３０】
【図１】本発明が適用されたデジタルカメラの外観構成を示す正面図
【図２】本発明が適用されたデジタルカメラの外観構成を示す背面図
【図３】デジタルカメラの電気的構成を示すブロック図
【図４】撮像素子の概略構成図
【図５】絞りの駆動と撮像素子の駆動のタイミングを示すタイミングチャート
【図６】第２の実施の形態のデジタルカメラの電気的構成を示すブロック図
【図７】第２の実施の形態のデジタルカメラの撮影時における処理動作の手順を示すフローチャート
【図８】撮影処理時における動作の手順を示すフローチャート
【図９】第３の実施の形態のデジタルカメラの撮影時における処理動作の手順を示すフローチャート
【符号の説明】
【０１３１】
１０…デジタルカメラ、１２…カメラ本体、１２ａ…開口部、１４…撮影レンズ、１６…ストロボ、１８…シャッタボタン、２０…電源／モードスイッチ、２２…ズームボタン、２４…十字ボタン、２６…MENU/OK ボタン、２８…BACKボタン、３０…DIP ボタン、３２…モニタ、３６…レンズカバー、３６ａ…支軸、３８…絞り、１１０…ＣＰＵ、１１２…操作部、１１４…ＲＡＭ、１１６…ＲＯＭ、１１８…ＥＥＰＲＯＭ、１２０…ＶＲＡＭ、１２２…撮影光学系、１２４…レンズカバーモータドライバ、１２６Ｚ…ズームレンズモータドライバ、１２６Ｆ…フォーカスレンズモータドライバ、１２８…絞りモータドライバ、１３０…撮像素子、１３２…撮像素子駆動回路、１３６…アナログ信号処理回路、１３８…Ａ／Ｄ変換器、１４０…画像入力コントローラ、１４２…デジタル信号処理回路、１４４…圧縮・伸張処理回路、１４６…メディアコントローラ、１４８…記憶メディア、１５０…ＬＣＤエンコーダ、１５２…ＡＦ検出回路、１５４…ＡＥ＆ＡＷＢ検出回路、１５６…電池、１５８…電源制御回路、１６０…電池残量検出回路、２００…デジタルカメラ、２０２…撮影光学系、２０４…メカニカルシャッタ、２０６…メカニカルシャッタモータドライバ
【図１】
2006245814.tif 000003
【図２】
2006245814.tif 000004
【図３】
2006245814.tif 000005
【図４】
2006245814.tif 000006
【図５】
2006245814.tif 000007
【図６】
2006245814.tif 000008
【図７】
2006245814.tif 000009
【図８】
2006245814.tif 000010
【図９】
2006245814.tif 000011